(57)【特許請求の範囲】
【請求項１】
露光用の開口部並びに同心円からなる小径穴及び大径穴を有する地板と、
前記開口部の開閉状態を切り替えるシャッタ羽根と、
前記シャッタ羽根に連結されると共に、前記地板の前記大径穴及び前記小径穴に挿入される軸を中心とした回動により前記シャッタ羽根を移動させる駆動レバーと、を備え、
前記軸は、前記軸の外周の前記地板の前記大径穴部分に環状に配置された複数の球体と常に軸方向及び径方向で接するようにして前記地板により支持されている、
フォーカルプレンシャッタ。
【請求項２】
前記地板と所定間隔を空けて配置され、前記地板と共に前記軸を支持する補助地板をさらに備え、
前記補助地板には同心円からなる小径穴及び大径穴が形成されており、
前記軸の一方側は、前記補助地板の前記大径穴及び前記小径穴に挿入されると共に、前記補助地板の前記軸の外周の前記大径穴部分に環状に配置された複数の球体と常に軸方向及び径方向で接するようにして前記補助地板に支持されている、
請求項１に記載のフォーカルプレンシャッタ。
【請求項３】
前記地板または前記補助地板は、補助支持部材を備え、
前記補助支持部材には、同心円からなる小径穴及び大径穴が形成されており、
前記軸は、前記補助支持部材の前記大径穴及び前記小径穴に挿入されると共に、前記補助支持部材の全基軸の外周の前記大径穴部分に環状に配置された複数の球体と常に軸方向及び径方向で接するようにして前記補助支持部材に支持されている、
請求項１または請求項２に記載のフォーカルプレンシャッタ。
【請求項４】
請求項１から請求項３のいずれか１項に記載のフォーカルプレンシャッタを備える撮像装置。
【発明の詳細な説明】
【技術分野】
【０００１】
本発明の一態様は、カメラなどの撮像装置に採用されるフォーカルプレンシャッタなどに関する。
【背景技術】
【０００２】
デジタルカメラなどの撮像装置にはフォーカルプレンシャッタが用いられるものがある。フォーカルプレンシャッタは、シャッタ羽根が高速に動作することで露光用の開口部を開閉し、これによって撮像素子に対する露光が行われる。このようなフォーカルプレンシャッタに対しては、高速かつ安定的に動作することが求められると共に、高耐久性が求められる。従来のフォーカルプレンシャッタとしては、例えば特許文献１〜特許文献３に開示されたような技術がある。
【先行技術文献】
【特許文献】
【０００３】
【特許文献１】特開平６−１３８５１０号公報
【特許文献２】特開平９−５８２８号公報
【特許文献３】特開平８−２２０４６号公報
【発明の概要】
【発明が解決しようとする課題】
【０００４】
しかしながら、従来構成のフォーカルプレンシャッタをさらに高速動作させようとすると、シャッタ羽根を駆動する駆動レバーと、駆動レバーを支持する部分とが摩擦を起こしてしまい、シャッタ羽根の高速動作には限界があった。また、駆動レバーと支持部分との摩擦により金属粉などの塵が発生し、この塵が撮像素子に付着することでデジタルカメラなどにより撮影された画像の画質低下につながることもあった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
露光用の開口部（２）を有する地板（１）と、
前記開口部の開閉状態を切り替えるシャッタ羽根（３）と、
前記シャッタ羽根に連結され、軸を中心とした回動により前記シャッタ羽根を移動させる駆動レバー（１４）と、を備え、
前記軸は軸受部材（ボール１２、１３）を介して前記地板により支持されている、
フォーカルプレンシャッタである。
【０００７】
上記構成のフォーカルプレンシャッタによれば、駆動レバーの回動の軸が軸受部材を介して支持されていることで、シャッタ羽根の動作のために駆動レバーを動作させた際に、その支持部（例えば地板）との間の摩擦を減少させることができる。これにより、駆動レバーの軸と支持部（例えば地板）との摩擦により金属片などの塵が発生することを抑制することが可能となる。
【０００８】
上記フォーカルプレンシャッタにおいて、好ましくは、
前記軸受部材が環状に配置された複数の球体（ボール１２、１３）である。
【０００９】
上記構成のフォーカルプレンシャッタによれば、駆動レバーが環状に配置された複数の球体を介して支持されているため、駆動レバーとその支持部との間の摩擦をさらに減少させることができる。
【００１０】
また、本発明の別の手段は、
上記いずれかのフォーカルプレンシャッタを備える撮像装置である。
【００１１】
上記構成の撮像装置によれば、摩擦による部品の摩耗を減少しつつ、塵の発生しづらいフォーカルプレンシャッタを備えた構成とすることができる。これにより、撮像装置自身の耐久性を高め、画質の低下を防止することなどが可能となる。
【図面の簡単な説明】
【００１２】
【図１】実施形態１のフォーカルプレンシャッタの平面図。
【図２】実施形態１のフォーカルプレンシャッタの断面図。
【図３】軸とボールとの位置関係を示す図。
【図４】実施形態２のフォーカルプレンシャッタの平面図。
【図５】実施形態２のフォーカルプレンシャッタの断面図。
【図６】実施形態２のフォーカルプレンシャッタの透過斜視図。
【発明を実施するための形態】
【００１３】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．補足事項
【００１４】
＜１．実施形態１＞
本実施形態のカメラなどの撮像装置に適用されるフォーカルプレンシャッタは、駆動レバーの回動によりシャッタ羽根を駆動する構成であって、駆動レバーの回動軸を支持する部分（例えば地板）に、環状に配置された複数の球体を介在させる構成にしている点が特徴の一つである。この特徴的構成においては、実施形態１と実施形態２とは共通である。以下、本実施形態のフォーカルプレンシャッタについて、図を参照しながら具体的に説明する。
【００１５】
図１は、本実施形態のフォーカルプレンシャッタの平面図である。図１に示されるように、本実施形態のフォーカルプレンシャッタは、開口部２が形成された地板１、シャッタ羽根３、及び駆動制御部４を備えて構成される。駆動制御部４の上部には上地板１１が配置されている。上地板１１には少なくとも２つの孔が形成されており、これらの孔にはシャッタ羽根を駆動する駆動レバーの回動の軸となる軸５及び軸６が挿入されている。
【００１６】
図２は、本実施形態のフォーカルプレンシャッタのＸ−Ｘの断面図である。図２に示されるように、本実施形態のフォーカルプレンシャッタは、地板１、シャッタ羽根３、軸５、及び上地板１１に加え、ボール１２及び１３、駆動レバー１４、アーム１５、並びに連結軸１６を含んで構成される。なお、図２はシャッタ羽根３のうちの先羽根群のための駆動制御部４の構成を示しているが、後羽根群のための構成としても同様の構成を備える。
【００１７】
＜地板１＞
地板１には、露光の際の光路となる矩形状の開口部２が形成される。開口部２は、シャッタ羽根３が移動（走行）することによってその開閉状態が切り替えられる。開口部２の先には撮像素子が配置され、シャッタ羽根３の移動（走行）によりこの撮像素子に対する露光が行われ、撮像が実行される。地板１の裏側には補助地板（図示せず）が配置され、地板１と補助地板との間には、シャッタ羽根３が収容される羽根室が形成される。また、図２に示されるように、地板１には孔が形成されており、この孔には駆動レバー１４の回動の軸となる軸５が挿入されている。これによって、地板１は軸５を回動自在に支持している。
【００１８】
＜シャッタ羽根３＞
シャッタ羽根３は、上記のとおり地板１と補助地板との間に形成された羽根室に配置され、駆動レバー１４から駆動力を与えられて移動（走行）する。シャッタ羽根３は、先羽根群及び後羽根群を含んでおり、これらの先羽根群及び後羽根群はそれぞれ１枚または複数枚の羽根を含む。先羽根群及び後羽根群が順に移動して開口部２の開閉状態を変化させることで、撮像素子に対する所定の露光時間での露光が行われる。図２に示されるように、シャッタ羽根３は連結軸１６によってアーム１５に連結されている。
【００１９】
＜上地板１１＞
上地板１１は、地板１の上方であって、地板１と共に駆動制御部４を挟む位置に配置される。上地板１１は、地板１と共に駆動制御部の各構成を支持する。上地板１１には複数の孔が形成されており、この孔に軸やネジなどが挿入されることで種々の構成を支持している。上地板１１には少なくとも２つの孔があり、それぞれ先羽根群用の駆動レバー１４の軸５、及び後羽根群用の駆動レバーの軸６が挿入されている。これによって、上地板１１は軸５及び軸６を回動自在に支持している。
【００２０】
＜駆動レバー１４＞
駆動レバー１４は、軸５に連結されており、軸５が回動することで移動するよう構成される。駆動レバー１４は、アーム１５に連結されており、アーム１５は連結軸１６を介してシャッタ羽根３に連結されている。軸５が回動すると駆動レバー１４が共に回動し、これによってアーム１５が移動し、さらにシャッタ羽根３が移動することとなる。
【００２１】
＜地板１及び上地板１１による軸５の支持構造＞
図２にも示されるように、地板１及び上地板１１には、軸５が挿入される孔がそれぞれ形成されており、この孔において軸５を支持している。軸５は、地板１及び上地板１１に直接支持されるわけではなく、それぞれボール１２及び１３を介在させて支持されている。すなわち、地板１と軸５との間にはボール１２が配置されており、上地板１１と軸５との間にはボール１３が配置されている。地板１、ボール１２、及び軸５の関係、並びに上地板１１、ボール１３、及び軸５の関係は、いずれも同様の関係にあるため、ここでは地板１、ボール１２、及び軸５の関係について説明し、上地板１１、ボール１３、及び軸５の関係についてはその説明を省略する。なお、このボール１２及び１３は、本発明の軸受部材の一例である。
【００２２】
地板１に形成された孔は、径が２段階になった２段形状になっており、径の大きい部分には複数のボール１２が配置される。ボール１２は、軸５と地板１の孔との間の隙間を埋めるように、かつ複数のボール１２の相互間に隙間が生じないように、環状に配置されている。図３は、軸５とボール１２の位置関係を示す図である。ボール１２を配置したときに、地板１と軸５との間には、高さ方向においてＢだけの隙間が生じるように構成されており、地板１と軸５とが接触しない構成となっている。すなわち、ボール１２の半径をｒ、地板１の凹部と軸５との高さ方向の距離をＡとすると、２ｒ＝Ａ＋Ｂとなっている。また、地板１と軸５との間には、平面方向においてＥだけの隙間が生じるように構成されており、同様に地板１と軸５とが接触しない構成となっている。すなわち、ボール１２の半径をｒ、地板１の凹部と軸５との平面方向の距離をＤとすると、２ｒ＝Ｄ＋Ｅとなっている。なお、地板１と軸５との隙間の距離Ｂ及びＥは、駆動レバー１４の回動時にも地板１と軸５とが接触しない範囲で、できるだけ短くなるよう構成することが好ましい。
【００２３】
上記のように、駆動レバー１４の回動の軸５を、軸受部材として機能するボール１２及び１３を介在させて地板１及び上地板１１により回動自在に支持している。このような構成とすることで、例えば露光時にシャッタ羽根３の動作のために駆動レバー１４を動作させた際に、その支持部（例えば地板１）と軸５の間の摩擦を減少させることができる。これにより、駆動レバー１４の軸５と支持部（例えば地板１）との摩擦により金属片などの塵が発生することを抑制することができる。また、このような構成のフォーカルプレンシャッタを採用したカメラなどの撮像装置では、耐久性を高めつつ、塵の発生に起因する画質の低下を防止することなどが可能となる。
【００２４】
＜２．実施形態２＞
次に、本発明の実施形態２について、図４〜図６を参照しながら具体的に説明する。本実施形態のフォーカルプレンシャッタの特徴部分は実施形態１と類似しているが、駆動レバーの軸を地板または上地板が直接支持せず、補助支持部材を介して支持している点で相違する。以下の説明では、実施形態１との相違点を中心に説明する。
【００２５】
図４は、本実施形態のフォーカルプレンシャッタの平面図である。図５は、本実施形態のフォーカルプレンシャッタのＸ−Ｘでの断面図である。図６は、本実施形態のフォーカルプレンシャッタの透過斜視図である。図６においては、先羽根群の駆動レバーに関する構成のみが示されており、その他の構成は省略されている。図４〜図６に示されるように、上地板１１の上には補助支持部材２０及び２１が配置されている。また、図５に示されるように、地板１の上にも補助支持部材２２が配置されている。補助支持部材２０及び２２は先羽根群を駆動する駆動レバー１４の軸５を支持するための構成であり、補助支持部材２１及びこれに対応する地板１の上に配置された補助支持部材は、後羽根群を駆動する駆動レバーの軸６を支持するための構成である。先羽根群のための構成と後羽根群のための構成とは同様の構成であるため、ここでは先羽根群のための構成についてののみ説明し、後羽根群のための構成についてはその説明を省略する。
【００２６】
図５に示されるように、地板１の上には補助支持部材２２が配置され、補助支持部材２２は２つのネジによって地板１に固定されている。また、上地板１１の上には補助支持部材２０が配置され、補助支持部材２０は２つのネジによって上地板１１に固定されている。地板１による軸５を支持する構成と、上地板１１による軸５を支持する構成とは同様の構成となっているため、ここでは地板１による軸５を支持する構成について説明し、上地板１１による軸５を支持する構成についてはその説明を省略する。
【００２７】
地板１及び補助支持部材２２には孔が形成されている。補助支持部材２２の孔は径が大きい部分と小さい部分との２段構造になっており、径の大きな部分は地板１に形成された孔と略同じ径になっている。地板１は、その孔の位置において軸５と接触しないような孔が形成されている。補助支持部材２２の大きいほうの径の部分には複数のボール１２が配置されている。ボール１２は、軸５と補助支持部材２２の孔との間の隙間を埋めるように、かつ複数のボール１２の相互間に隙間が生じないように、環状に配置されている。このボール１２の配置は、図３に示された実施形態１の配置と同様である。ボール１２を配置したときに、補助支持部材２２と軸５との間には、高さ方向においてＢだけの隙間が生じるように構成されており、補助支持部材２２と軸５とが直接的には接触しない構成となっている。すなわち、ボール１２の半径をｒ、補助支持部材２２の凹部と軸５との高さ方向の距離をＡとすると、２ｒ＝Ａ＋Ｂとなっている。また、補助支持部材２２と軸５との間には、平面方向においてＥだけの隙間が生じるように構成されており、同様に補助支持部材２２と軸５とが直接的には接触しない構成となっている。すなわち、ボール１２の半径をｒ、地板１の凹部と軸５との平面方向の距離をＤとすると、２ｒ＝Ｄ＋Ｅとなっている。なお、補助支持部材２２と軸５との隙間の距離Ｂ及びＥは、駆動レバー１４の回動時にも補助支持部材２２と軸５とが接触しない範囲で、できるだけ短くなるよう構成することが好ましい。
【００２８】
上記のように、駆動レバー１４の回動の軸５を地板１及び上地板１１が支持せず、補助支持部材を介在させて支持するような構成としても、実施形態１と同様の効果を得ることができる。すなわち、例えば露光時にシャッタ羽根３の動作のために駆動レバー１４を動作させた際に、その支持部（例えば補助支持部材２２）と軸５の間の摩擦を減少させることができ、金属片などの塵が発生することを抑制することなどが可能となる。また、このような構成のフォーカルプレンシャッタを採用したカメラなどの撮像装置では、耐久性を高めつつ、塵の発生に起因する画質の低下を防止することなどが可能となる。
【００２９】
＜３．補足事項＞
以上、本発明の実施形態についての具体的な説明を行った。上記説明は、あくまで一実施形態としての説明であって、本発明の範囲はこの一実施形態に留まらず、同様の技術思想に基づいて当業者が把握可能な範囲にまで広く解釈されるものである。
【００３０】
上記実施形態では、先羽根群を駆動する駆動レバーのための構成について説明したが、この構成は後羽根群を駆動する駆動レバーのための構成としても採用可能である。
【００３１】
また、上記実施形態では、シャッタ羽根３は先羽根群と後羽根群とを備える構成として説明したが、シャッタ羽根３は一の羽根群を備えるいわゆる単幕構成であってもよい。
【００３２】
また、上記実施形態では、ボール１２及び１３はいずれも完全な球体であることを前提に説明したが、ボール１２及び１３は完全な球体ではなく、楕円体状に形成されてもよい。ただし、ボール１２及び１３は、楕円体状ではなく完全な球体状に形成することがより好ましい。
【産業上の利用可能性】
【００３３】
本発明のフォーカルプレンシャッタは、例えばデジタルカメラなどの撮像装置などに好適に適用される。
【符号の説明】
【００３４】
１…地板
２…開口部
３…シャッタ羽根
４…駆動制御部
５、６…軸
１１…上地板
１２、１３…ボール
１４…駆動レバー
１５…アーム
１６…連結軸
２０、２１、２２…補助支持部材
【図１】
0006367789.tif 000002
【図２】
0006367789.tif 000003
【図３】
0006367789.tif 000004
【図４】
0006367789.tif 000005
【図５】
0006367789.tif 000006
【図６】
0006367789.tif 000007